(57)【特許請求の範囲】
【請求項１】
棺と、遺体を洗浄するための洗浄槽と、遺体を洗浄する際に遺体を前記洗浄槽内において支持するための担架とを持ち運び可能に搭載して現地まで出向き、現地において前記洗浄槽及び前記担架を室内へ搬入し、安置された遺体を前記担架に乗せた状態で前記洗浄槽で洗浄し、遺体の洗浄が完了した際には、前記洗浄槽に残溜する汚水を回収して持ち帰る湯灌サービスの提供を行う業者によって用いられ、
荷物室を前記棺を収容する上空間と前記洗浄槽及び前記担架を収納し得る下空間とに仕切る仕切台を有する湯灌用特殊車両であって、
前記担架は、所定間隔を置いて略平行に延びる２本の縦部材とそれらの縦部材の端部同士を連結する２本の横部材を有する略矩形状に構成され、遺体を洗浄する際に前記洗浄槽の縁に載置される外枠と、前記外枠の内側に位置し、遺体を支持するための網と、前記網を前記外枠に連結する複数の連結手段と、を有しており、
前記湯灌用特殊車両は、前記仕切台の前記下空間側に、収納された前記洗浄槽との間に間隔を置いて前記担架を出入自在に収納可能な収納手段を備えており、
前記収納手段は、前記仕切台の前記下空間側の面に前記湯灌用特殊車両の進行方向に沿って前記担架の対向する縦部材の間隔よりもやや大きい間隔を介して設けられ、前記担架の２本の縦部材をそれぞれ摺動自在に支持する一対のレールより構成されており、それにより前記担架を前記仕切台の前記下空間側の面に前記洗浄槽との間に間隔を置いて支持するとともに前記荷物室から出入自在に保持することを特徴とする湯灌用特殊車両。
【発明の詳細な説明】
【０００１】
【発明が属する技術分野】
本発明は、湯灌サービスの提供を行う湯灌業者に用いられる湯灌用特殊車両に関し、特に、搭載された洗浄槽を傷つけることなく、湯灌の儀を行う際に遺体を載せるための担架を出入自在に収納することができるように設計された湯灌用特殊車両に関する。
【０００２】
【従来の技術】
一般に、我が国における葬儀においては、納棺に先立って「湯灌の儀」と称される儀式が実施される場合が多い。湯灌の儀とは、故人の現世での煩悩を洗い清め、現世での汚れを一切落とし、安らかに見送ることを目的として行われる儀式である。この湯灌の儀は、主として、故人の納棺に先だって、遺体を洗浄するための専用の槽（洗浄槽）において、温水を用いて故人の体を洗い清めることによって行われる。
【０００３】
このような湯灌の儀は、従来は遺族の手により行われていたが、最近では湯灌サービスの提供を専門とする湯灌業者によってとり行われるケースが増加している。湯灌業者により提供されるサービスの内容は、概略、以下の通りである。すなわち、先ず、湯灌業者は、遺体を洗浄するための洗浄槽を車両に搭載し、故人の家族等が待つ現地まで出向く。車両が現地に到着すると、搭載された洗浄槽を故人が安置されている室内等に搬入する。次に、故人の体を洗浄槽に移し、該洗浄槽内において、温水を用いて故人の体を洗浄する。そして、湯灌の儀が終了した際には、洗浄槽に残溜する汚水（遺体の洗浄に用いられた温水）を回収して持ち帰る。
【０００４】
そして、このような湯灌サービスの特殊性に鑑み、湯灌業者においては、専ら湯灌サービスの提供に用いられる「湯灌車」と称される湯灌用特殊車両が使用されている。
【０００５】
図７は、従来の湯灌用特殊車両１０の背面図であって、後部ドアを取り除いた状態を示している。
【０００６】
湯灌用特殊車両１０は、一般的に用いられているワゴンタイプの自動車を改良したものであり、荷物室に、概略、遺体を洗浄する際に用いる温水を得るための湯沸かし装置と、湯沸かし装置において得られた温水を貯留する温水タンクと、洗浄槽へ温水槽内の温水を送出する送出ポンプと、洗浄槽に残溜する汚水を貯留するための排水タンクと、汚水が排水タンク内に吸引され得るように排水タンク内の圧力を減少させる減圧ポンプとを備えている。
【０００７】
湯灌の儀においては、上記の装備品に加えて、洗浄槽内において遺体を支持するための担架１７が用いられる。従来の湯灌用特殊車両１０においては、担架１７は、図７に示すように、湯灌用特殊車両１０に搭載された洗浄槽５の上に直接載置する方法で収納されるようになっている。
【０００８】
この担架１７は、湯灌の儀のみならず、老人や障害者等を入浴させる際に一般的に用いられている担架と同様のものであって、概略、内部に金属製のワイヤーが張りめぐらされている外枠と、前記外枠の内側に位置する網と、前記ワイヤーを介して網の張り具合を調節する調節機構とを備えている。網の張り具合の調節は、担架１７の外枠に設けられたハンドルを操作して、外枠の内部に挿通されているワイヤー（図示せず）の長さを調節することにより行われる。
【０００９】
担架１７を用いて老人や障害者等を入浴させる場合には、先ず、洗浄槽の上に置かれた担架１７の網の上に入浴の対象者を載せる。次に、対象者の体が徐々に温水に浸かるように、調節機構のハンドルを操作して網を緩める。
【００１０】
一方、湯灌の儀において遺体を洗浄する場合は、遺体を湯水につけず、シャワー等で湯水をかけるだけなので、上記のようにハンドルを操作して遺体を徐々に温水に浸ける必要はない。
【００１１】
従って、湯灌の儀において遺体を洗浄する場合は、予め、所定の張り具合に保たれた担架の網の上に支持された遺体を洗浄槽内において洗浄する。
【００１２】
しかしながら、従来の湯灌用特殊車両においては以下のような問題が生じている。
【００１３】
すなわち、従来の湯灌用特殊車両においては、前述したように、担架を湯灌用特殊車両に収納する際に、洗浄槽の上に直接重ねて置くようにしている。そのため、担架を湯灌用特殊車両から出し入れする際に洗浄槽を傷つけてしまうことがある。そのような傷が付いた洗浄槽は見栄えが悪く、故人の体を洗い清めるという神聖な儀式である湯灌の儀に適さないといった問題がある。
【００１４】
【発明が解決しようとする課題】
上述した問題点に鑑み、本発明は、搭載された洗浄槽を傷つけることなく、遺体を載せるための担架を収納することができるように設計された湯灌用特殊車両を提供することを目的とする。
【００１５】
【課題を解決するための手段】
上記目的を達成するために、本発明は、棺と、遺体を洗浄するための洗浄槽と、遺体を洗浄する際に遺体を前記洗浄槽内において支持するための担架とを持ち運び可能に搭載して現地まで出向き、現地において前記洗浄槽及び前記担架を室内へ搬入し、安置された遺体を前記担架に乗せた状態で前記洗浄槽で洗浄し、遺体の洗浄が完了した際には、前記洗浄槽に残溜する汚水を回収して持ち帰る湯灌サービスの提供を行う業者によって用いられ、荷物室を前記棺を収容する上空間と前記洗浄槽及び前記担架を収納し得る下空間とに仕切る仕切台を有する湯灌用特殊車両に関する。
前記担架は、所定間隔を置いて略平行に延びる２本の縦部材とそれらの縦部材の端部同士を連結する２本の横部材を有する略矩形状に構成され、遺体を洗浄する際に前記洗浄槽の縁に載置される外枠と、前記外枠の内側に位置し、遺体を支持するための網と、前記網を前記外枠に連結する複数の連結手段と、を有しており、
前記湯灌用特殊車両は、前記仕切台の前記下空間側に、収納された前記洗浄槽との間に間隔を置いて前記担架を出入自在に収納可能な収納手段を備えており、
前記収納手段は、前記仕切台の前記下空間側の面に前記湯灌用特殊車両の進行方向に沿って前記担架の対向する縦部材の間隔よりもやや大きい間隔を介して設けられ、前記担架の２本の縦部材をそれぞれ摺動自在に支持する一対のレールより構成されており、それにより前記担架を前記仕切台の前記下空間側の面に前記洗浄槽との間に間隔を置いて支持するとともに前記荷物室から出入自在に保持するようになっている。
【００１６】
これにより、湯灌用特殊車両に搭載された洗浄槽との間に間隔を置いて、担架を簡単に出入自在に収納することが可能になる。その結果、担架を湯灌用特殊車両に出入する際に、担架が洗浄槽を傷つけることを防止することが可能になる。また、湯灌用特殊車両に収納された担架を落下させることなく保持することができるので、担架が湯灌用特殊車両に収納された後においても、担架が洗浄槽を傷つけることを防止することが可能になる。
【００１７】
【発明の実施の形態】
以下、本発明の実施形態を添付図面に基づいて詳細に説明する。
【００１８】
先ず、図１ないし図３に基づいて、本発明の湯灌用特殊車両（以下、「湯灌車」と略称する。）の構成について説明する。
【００１９】
図１は、湯灌用特殊車両の側面図であって、一部を切り欠いた状態を示している。図２は、湯灌用特殊車両の上面図であって、一部を切り欠いた状態を示している。図３は、湯灌用特殊車両の背面図であって、後部ドアを取り除いた状態を示している。
【００２０】
なお、本発明の説明に用いられる図面において、ｆ方向の矢印は運転席側（前方）を示し、ｒ方向の矢印は後部ドア側（後方）を示している。また、Ｒ方向の矢印は車両の進行方向に対して右側を示し、Ｌ方向の矢印は左側を示している。
【００２１】
湯灌車１の荷物室２には、図３に示すように、荷物室２を上空間２１と下空間２２に仕切る仕切台３が設けられている。この仕切台３は、荷物室２の高さ方向の略中央の位置に設けられたフレーム３２と、フレーム３２の上に載置された載置板３１とから構成されている。フレーム３２は２本の縦フレームと５本の横フレームを組み合わせて構成されており、各横フレームには、後述するガイドレールや各種部品等を取り付けることができるように、予め取付用の穴が設けられている。
【００２２】
上空間２１には、納棺の儀の要望に備えて棺４を収納することができるようになっている。また、下空間２２には、現地において室内に搬入される洗浄槽５や担架７等を出入自在に収納することができるようになっている。
【００２３】
さらに、荷物室２の下空間２２には、湯灌の儀を行う際に洗浄槽５へ遺体洗浄用の温水を供給するために、湯沸かし装置において得られた温水を貯留する温水タンク６１と、室内に搬入された洗浄槽５へ温水を送出する送出ポンプ６２等が設置されている。
【００２４】
また、下空間２２には、さらに、遺体の洗浄が完了した際に洗浄槽５に残溜する汚水を回収するために、洗浄槽５に残溜する汚水を貯留する排水タンク６３と、汚水が排水タンク６３内に吸引され得るように該排水タンク内の圧力を減少させる減圧ポンプ６４等が設置されている。なお、温水の送出及び汚水の回収に際しては、湯灌車１に持ち運び自在に搭載されたホースリール６５が用いられるようになっている。
【００２５】
そして、担架７を湯灌車１に出入自在に収納するために、仕切台３の下空間２２側の面には、本発明の収納手段及び保持手段をなす一対のガイドレール８が設けられている。図３に示すように、このガイドレール８は、湯灌車１に搭載された洗浄槽５との間に間隔を置いて担架７を収納することができるように設置されている。
【００２６】
次に、図４に基づいて、ガイドレール８の構成についてより詳細に説明する。
【００２７】
図４は、仕切台３のフレーム３２及びガイドレール８を示す分解斜視図であり、ガイドレール８に担架７を差し込む状態を示している。
【００２８】
各ガイドレール８は、担架７の長さとほぼ同様の長さの金属部材より構成されている。このガイドレール８は、後述する担架７の把持部７３を収容し、かつ担架７の縦部材７１を摺動自在に支持し得るように、断面が略コの字状に形成されている。また、ガイドレール８の一端には、図４に示すように、担架７が収納される側の口幅が拡がるように加工が施されている。このようなガイドレール８の構成により、担架７を簡単に収納することが可能になる。
【００２９】
各ガイドレール８には、それぞれ支持金具（ブラケット）８１がほぼ等間隔で４個取り付けられている。このガイドレール８は、図４の一点鎖線に沿ってフレーム３２に据え付けられ、支持金具８１及びフレーム３２に設けられた取付用の穴を介して、フレーム３２にボルト止めされるようになっている。
【００３０】
フレーム３２に固定されたガイドレール８は、仕切台３の下空間２２側であって、湯灌車１の進行方向に沿って位置するようになっている。また、固定された一対のガイドレール８は、担架７の対向する縦部材７１の間隔よりもやや大きい間隔を有するようになっている。これにより、担架７を、ガイドレール８に沿って円滑に出し入れすることが可能になる。
【００３１】
なお、ガイドレール８をフレーム３２に固定させる手段は上述したものに限定されず、例えば、溶接等により固定させてもよい。
【００３２】
このようにしてフレーム３２に固定されたガイドレール８には、図４の矢印に示すように、担架７を出入自在に収納することが可能である。
【００３３】
上述したガイドレール８の構成によれば、湯灌車１に搭載された洗浄槽５との間に間隔を置いて、担架７を出入自在に収納することが可能になる。その結果、担架７を湯灌車１に出入する際に、担架７が洗浄槽５を傷つけることを防止することが可能になる。
【００３４】
また、ガイドレール８は保持手段としての機能も有しているので、湯灌車１に収納された担架７を落下させることなく保持することが可能になる。その結果、担架７が湯灌車１に収納された後においても、担架７が洗浄槽５を傷つけることを防止することが可能になる。
【００３５】
さらに、ガイドレール８は、仕切台３の下空間２２側の面に設けられているので、担架７を下空間２２の上方に収納することが可能になる。これにより、湯灌車１の荷物室２をより有効に利用することが可能になる。
【００３６】
なお、上述の実施形態においては、収納手段及び保持手段は一対のガイドレールより構成されているが、本発明の収納手段及び保持手段はこれに限定されない。すなわち、収納手段及び保持手段は、例えば、担架７を収容し得る筺体等より構成されてもよい。また、収納手段及び保持手段として設けられたガイドレールや筺体等には、担架７の円滑な出し入れを可能にするために、例えば、担架７と接触する箇所に回転可能なローラーを設けてもよい。
【００３７】
また、本発明の収納手段又は保持手段には、収納された担架７が収納手段等から脱することを防止するために、例えばロック機構が備えられていてもよい。これにより、湯灌車１の走行中の振動等により担架７が不意にガイドレール８等から脱することを防止することが可能になる。
【００３８】
次に、図５に基づいて、担架７の構成を説明する。
【００３９】
図５は、担架７及び洗浄槽５を用いて遺体９を洗浄する過程を示す斜視図である。
【００４０】
担架７は、概略、遺体９を洗浄する際に洗浄槽５の縁５１に載置される外枠７０と、外枠７０の内側に位置し、遺体９を支持するための網７５と、網７５を外枠７０に連結する連結手段とを有している。
【００４１】
外枠７０は、２本の縦部材７１と２本の横部材７２を略矩形状に組み合わせて構成されている。図５に示すように、各縦部材７１の両端付近には、それぞれ把持部７３が設けられている。また、一方の横部材７２の両端付近には、略Ｄ字状の連結部７４が設けられている。
【００４２】
網７５は、遺体９を支持し得る程度の強度を有し、略矩形状に形成されている。この網７５は、本発明の連結手段を介して、外枠７０に連結されている。
【００４３】
本実施形態において、連結手段は、縦部材７１の把持部７３及び横部材７２の連結部７４に、合計で４つ設けられている。各連結手段は、略Ｃ字状の連結金具（連結部材）７６から構成されている。また、４つの連結手段のうち２つには、外枠７０に連結された網７５の張り具合を調節することができる調節部材７７が設けられている。
【００４４】
この調節部材７７を備えた連結手段は、横部材７２の連結部７４に設置されている。このような調節部材７７を備えた連結手段により、網７５の張り具合を調節することが可能になる。また、この調節部材７７により、網７５を簡単に取り替えることが可能になる。
【００４５】
また、上述した担架７の構成によれば、従来の担架に設けられていた遺体を載置した状態で上下させるためのハンドルとワイヤー等による比較的重量の大きい調節機構を省くことが可能になる。これにより、従来と比較して担架を軽量に構成することができるので、収納手段に過大な負担を与えることなく担架を収納することが可能になる。
【００４６】
次に、図６に基づいて、担架７に設けられた調節部材７７の構成を説明する。
【００４７】
図６は、調節部材７７の斜視図である。
【００４８】
調節部材７７は、概略、相対する方向にネジが切られた一対の雌ネジ（螺合手段）を有する胴部７８と、雄ネジを有し、前記胴部７８の雌ネジを介して該胴部にそれぞれ螺合する一対の鉤部７９より構成されている。
【００４９】
一対の鉤部７９のうち、一方の鉤部は担架７の網７５を連結し、他方の鉤部は連結金具（連結部材）７６を介して間接に担架７の外枠７１に連結されるようになっている。
【００５０】
なお、本発明に用いられるべき調節部材は特に限定されず、好ましくは、図６に示すような一般的なターンバックルである。
【００５１】
また、鉤部７９を担架７の外枠７１に連結させる手段は、上述したものに限定されず、例えば、鉤部７９を、担架７の外枠７１に直接連結させるようにしてもよい。
【００５２】
このような構成の調節部材７７によれば、鉤部７９の雄ネジと胴部７８の雌ネジのねじ込み具合を調節することにより、網の張り具合を調節することが可能になる。すなわち、従来の担架のように、担架の外枠にワイヤーを張りめぐらせる必要がないので、担架を軽量化することが可能になる。
【００５３】
次に、図５及び図６に基づいて、担架７に設けられた網７５の張り具合を調節する際の調節部材７７の作用について説明する。
【００５４】
遺体９の洗浄は、遺体９が網７５に支持された状態で、洗浄槽５の内側において行われる。洗浄の際には、室内に汚水等が飛び散らないように、遺体９を洗浄槽５の内側にある程度進入させることが必要な場合がある。そのため、遺体９を担架７に載せる前に、調節部材７７を用いて担架７の網７５の張り具合を調節する。
【００５５】
網７５の張り具合の調節は、調節部材７７の胴部７８を操作することによって行われる。具体的には、網７５の張り具合をきつくする場合（図６の距離Ｄを短くさせる場合）には、調節部材７７の胴部７８をＸ方向に回転させる。一方、網７５の張り具合を緩める場合（図６の距離Ｄを長くさせる場合）には、調節部材７７の胴部７８をＹ方向に回転させる。
【００５６】
なお、調節部材７７の同様の操作により、担架７の外枠７０に連結された網７５を取り替えることも可能である。
【００５７】
このような担架７の構成により、従来の担架に設けられていた遺体を載置した状態で上下させるためのハンドルとワイヤー等による比較的重量の大きい調節機構を省くことが可能になる。その結果、従来と比較して担架７を軽量に構成することが可能になるので、作業性が改善される。また、本発明の担架７は、従来の担架に設けられた調節機構のハンドルを省くことが可能になるので、作業の妨げとなることはない。また、通常の作業ではあまり使用しないハンドル及びワイヤー等が錆びて動かなくなるということはない。
【００５８】
【発明の効果】
上述した本発明の湯灌用特殊車両の構成によれば、担架を出入自在に収納する収納手段を、荷物室の仕切台の下空間側の面に湯灌用特殊車両の進行方向に沿って担架の対向する縦部材の間隔よりもやや大きい間隔を介して設けられ、前記担架の２本の縦部材をそれぞれ摺動自在に支持する一対のレールより構成しているので、前記担架を前記仕切台の前記下空間側の面に前記洗浄槽との間に間隔を置いて支持するとともに前記荷物室から出入自在に保持できる。これにより、湯灌用特殊車両に搭載された洗浄槽との間に間隔を置いて、前記担架を荷物室から容易に出入自在に収納することが可能になる。その結果、担架を湯灌用特殊車両に出入する際に、担架が洗浄槽を傷つけることを防止することが可能になる。
【００５９】
また、湯灌用特殊車両に設けられた収納手段を以上のような一対のレールより構成することにより、湯灌用特殊車両に収納された担架を落下させることなく保持することが可能になる。その結果、担架が湯灌用特殊車両に収納された後においても、担架が洗浄槽を傷つけることを防止することが可能になる。
【００６０】
さらに、上述した本発明の湯灌用特殊車両の構成によれば、収納手段は、仕切台の下空間側の面に設けられているので、担架を下空間の上方に収納することが可能になる。これにより、湯灌用特殊車両の荷物室をより有効に利用することが可能になる。
【図面の簡単な説明】
【図１】  湯灌用特殊車両の側面図であって、一部を切り欠いた状態を示している。
【図２】  湯灌用特殊車両の上面図であって、一部を切り欠いた状態を示している。
【図３】  湯灌用特殊車両の背面図であって、後部ドアを取り除いた状態を示している。
【図４】  仕切台のフレーム及びガイドレールを示す分解斜視図であり、ガイドレールに担架を差し込む状態を示している。
【図５】  担架及び洗浄槽を用いて遺体を洗浄する過程を示す斜視図である。
【図６】  担架に設けられた調節部材の斜視図である。
【図７】  従来の湯灌用特殊車両の背面図であって、後部ドアを取り除いた状態を示している。
【符号の説明】
１      湯灌用特殊車両（湯灌車）
１０    従来の湯灌用特殊車両
１７    従来の担架
２      荷物室
２１    上空間
２２    下空間
３      仕切台
３１    載置板
３２    フレーム
３３    縦フレーム
３４    横フレーム
４      棺
５      洗浄槽
５１    縁
６１    温水タンク
６２    送出ポンプ
６３    排水タンク
６４    減圧ポンプ
６５    ホースリール
７      担架
７０    外枠
７１    縦部材
７２    横部材
７３    把持部
７４    連結部
７５    網
７６    連結金具
７７    調節部材
７８    胴部
７９    鉤部
８      ガイドレール
８１    支持金具
９      遺体
【図１】
0004316715.tif 000002
【図２】
0004316715.tif 000003
【図３】
0004316715.tif 000004
【図４】
0004316715.tif 000005
【図５】
0004316715.tif 000006
【図６】
0004316715.tif 000007
【図７】
0004316715.tif 000008